(57)【要約】 【課題】入射光を効率よく色分離できる小型の光学素子を提供すること。【解決手段】マイクロレンズ１３の光軸ＯＡに対して斜めに入射した光は、石英ガラス板１２の出射面３０に配置された青色選択透過部１６によって青色は透過され、残りの成分は反射される。反射光は、カラーフィルタ５０とマイクロレンズ１３との間に設けられた反射部１９によって、最初の青色選択透過部１６とは異なる位置に反射され、緑色選択透過部１７によって、緑色が透過される。同様に反射光は、反射部１９によって赤色選択透過部１８に入射し、赤色が透過する。したがって、小型で効率よく色分離ができる。また、一つの光学素子１０で色分離がされ、光学系の小型化も可能にできる。【選択図】図３
2006251121.tif 000002
【特許請求の範囲】
【請求項１】
マイクロレンズアレイのマイクロレンズで集光された光を色分離する光学素子であって、
前記マイクロレンズの光軸に対して斜めに入射し、集光された光を色分離する選択透過部を有するカラーフィルタを光の出射面に配置し、
前記カラーフィルタと前記マイクロレンズアレイとの間に、前記選択透過部で反射された光を再度前記選択透過部に向けて反射させる反射部を設けた
ことを特徴とする光学素子。
【請求項２】
請求項１に記載の光学素子において、
前記カラーフィルタは、前記マイクロレンズアレイに貼り合わせられた透明板の前記マイクロレンズアレイへの貼り合わせ面の他面側に形成されている
ことを特徴とする光学素子。
【請求項３】
請求項１または請求項２に記載の光学素子において、
前記反射部には、前記マイクロレンズで集光された光を前記カラーフィルタに透過させるための透光部が形成されている
ことを特徴とする光学素子。
【請求項４】
請求項３に記載の光学素子において、
前記透光部には、微小レンズが形成されている
ことを特徴とする光学素子。
【請求項５】
請求項４に記載の光学素子において、
前記微小レンズの口径は、前記マイクロレンズの口径の１／３以下である
ことを特徴とする光学素子。
【請求項６】
請求項１〜請求項５のいずれかに記載の光学素子を備えている
ことを特徴とする光学変調装置。
【請求項７】
請求項６に記載の光学変調装置を備えている
ことを特徴とするプロジェクタ。
【発明の詳細な説明】
【技術分野】
【０００１】
本発明は、入射光を色分離する光学素子およびこれを用いた光学変調装置とプロジェクタに関する。
【背景技術】
【０００２】
プロジェクタ等には、光源からの光の透過光量を画素ごとに調整する光学変調装置である液晶ライトバルブが使用されている。カラー表示を行なうためには、液晶ライトバルブに色分離するための光学素子等を組み合わせて使用する必要がある。ここで、光学素子として、染料等からなる吸収タイプのカラーフィルタを用いると、吸収によって透過光量が減少する。また、光の吸収による染料の劣化や、カラーフィルタの発熱により近接する液晶ライトバルブの寿命が短くなるという課題がある。
【０００３】
そこで、プロジェクタでは、透過成分は透過し、透過成分以外の成分は反射する誘電体多層膜からなる選択透過フィルタを組み合わせることによって、光源からの光を赤色、緑色、および青色に色分離する。そして、それぞれの色に対応した３枚の液晶ライトバルブで透過光量を調整後、再び赤色、緑色、および青色を合成して投写する方法が広く用いられている。
しかしながら、この方法では、部品点数が多くなり光学系の小型化が難しい。この課題を解決するために、１枚の液晶ライトバルブと選択透過フィルタとを使用する方法が検討されている。
【０００４】
大型の選択透過フィルタを使用したものとして、光源からの光に対して角度の異なる３枚の選択透過フィルタによって色分離する方法が知られている（例えば、特許文献１参照）。この方法では、各選択透過フィルタで反射された赤色、緑色、および青色は、液晶ライトバルブの入射光側に設けられたマイクロレンズアレイに色ごとに異なる角度で入射し、液晶ライトバルブのそれぞれの色に対応した画素に集光する。そして、画像情報に基づいて、色ごとに画素によって透過光量が調整されている。
また、液晶ライトバルブの画素に合わせて微小な選択透過部を組み合わせたカラーフィルタを入射光側に形成し、カラーフィルタによって反射する光を光源付近で再びカラーフィルタに向けて反射させ、入射光量を確保する方法が知られている（例えば、特許文献２参照）。
さらに、マイクロレンズアレイとマイクロプリズムを液晶ライトバルブの入射光側に画素ごとに設け、そのマイクロプリズムに形成された選択透過部によって、赤色、緑色および青色に入射光を分離する方法も知られている（例えば、特許文献３参照）。
【０００５】
【特許文献１】特開平９−１１４０２３号公報（第６頁、段落番号［００４６］〜［００５３］、図１）
【特許文献２】特開平９−１５９９８７号公報（第３頁、段落番号［００１０］［００１８］、図２）
【特許文献３】特開平１１−３３８３７９号公報（第５頁〜第６項、段落番号［００２９］〜［００３１］、図２）
【発明の開示】
【発明が解決しようとする課題】
【０００６】
特許文献１では、光源からの光を、大型の選択透過フィルタによってそれぞれの成分ごとに角度を変えて、液晶ライトバルブに入射させる。大型の選択透過フィルタは、液晶ライトバルブから離れた場所に配置され、さらに、各光学要素が直線上に位置しない。したがって、光学系の調整および小型化が難しいという課題がある。
また、特許文献２では、カラーフィルタからの反射光を光源付近で再度反射するためのミラーが必要で、部品点数が増え光学系の小型化が難しい。また、反射用のミラーから液晶ライトバルブまでの距離も長いため入射光量の損失が生じ、光の利用効率が上がらないという課題がある。
さらに、特許文献３では、マイクロプリズムと選択透過部を形成する複雑な工程が必要で、マイクロプリズムの精度も要求され、入射光の利用効率の向上が難しい。
【０００７】
本発明の目的は、入射光を効率よく色分離できる小型の光学素子、これを用いた光学変調装置およびプロジェクタを提供することにある。
【課題を解決するための手段】
【０００８】
本発明の光学素子は、マイクロレンズアレイのマイクロレンズで集光された光を色分離する光学素子であって、前記マイクロレンズの光軸に対して斜めに光を入射させ、集光された光を色分離する選択透過部を有するカラーフィルタを光の出射面に配置し、前記カラーフィルタと前記マイクロレンズアレイとの間に前記選択透過部で反射された光を再度前記選択透過部に向けて反射させる反射部を設けたことを特徴とする。
【０００９】
この発明によれば、マイクロレンズの光軸に対して斜めに光を入射することで、光は、マイクロレンズの光軸からずれた位置に集光する。集光された光は、出射面に配置されたカラーフィルタに到達する。カラーフィルタは、異なる色を透過する複数の選択透過部を有しており、選択透過部によって透過成分は透過し、残りの成分は反射される。この反射光は、光軸に対して角度を持って反射する。反射光は、カラーフィルタとマイクロレンズアレイとの間に設けられた反射部によって、最初の選択透過部とは異なる位置に再び反射される。その位置に最初の選択透過部とは異なる色を選択透過する選択透過部を配置すれば、異なる透過成分が透過する。つまり、異なる選択透過部を組み合わせることによって、入射光は色分離されて出射面から出射する。
したがって、この発明では、入射光を斜めから入射して、マイクロレンズとカラーフィルタとの間の反射を利用して色分離を行なうので、色分離のための光学素子が薄型で小型になる。また、選択透過部を同じ平面内に並べて形成してカラーフィルタを構成するのでカラーフィルタの作成が行い易く、薄型になる。さらに、一つの光学素子で色分離がされ、光学系の小型化も可能になる。
【００１０】
本発明では、前記カラーフィルタは、前記マイクロレンズアレイに貼り合わせられた透明板の前記マイクロレンズアレイへの貼り合わせ面の他面側に形成されている構成が好ましい。
この発明では、透明板の出射面にカラーフィルタが形成されている。したがって、平面へ複数の選択透過部を形成してカラーフィルタを構成すればよく、簡便な工程で選択透過部の形成が精度よく行なえる。また、反射部をこの透明板の出射面と対向する面に形成すれば、形成時の選択透過部との位置あわせも行いやすく、選択透過部と反射部との間の距離も一定に保てる。したがって、入射光が効率よく色分離される。
【００１１】
本発明では、前記反射部には、前記マイクロレンズで集光された光を前記カラーフィルタに透過させるための透光部が形成されている構成が好ましい。
この発明では、反射部に形成された透光部が絞りの役目を果たし、マイクロレンズで集光された光は、カラーフィルタの決められた選択透過部に到達する。したがって、透過光を有効に利用でき、効率よく色分離される。
【００１２】
本発明では、前記透光部には、微小レンズが形成されている構成が好ましい。
この発明では、マイクロレンズで集光した光を、微小レンズによって、入射光と同じ方向の平行光にする。したがって、選択透過部に到達するまでの光の漏れや迷光が少なくなり、効率よく色分離される。
【００１３】
本発明では、前記微小レンズの口径は、前記マイクロレンズの口径の１／３以下である構成が好ましい。
この発明では、マイクロレンズで集光した光を１／３以下に分割するので、カラー表示に必要な３原色に入射光が色分離される。
【００１４】
本発明の光変調装置は、前述の光学素子を備えたことを特徴とする。
この発明によれば、光変調装置は、小型の色分離のための光学素子を一体で備えているので、１枚の光変調装置で各色成分の透過光量が調整される。したがって、部品点数が少なくなる。
【００１５】
本発明のプロジェクタは、前述の光変調装置を備えたことを特徴とする。
この発明によれば、光変調装置と色分離のための光学素子が一体なので、光学系が直線上に配置され、プロジェクタが小型になる。
【発明を実施するための最良の形態】
【００１６】
以下、本発明の実施形態を図面に基づいて説明する。
図１には、本実施形態に係るプロジェクタ１を示す概略平面図が示されている。
図１において、プロジェクタ１は、照明光学系１００と、入射光を色分離する光学素子１０と、分離された光の透過光量を画素ごとに調整する光学変調装置としての液晶ライトバルブ２０と、投写レンズ系１５０とを備えている。
【００１７】
照明光学系１００は、光源１１０と、第１のレンズアレイ１２０と、第２のレンズアレイ１３０と、コリメータレンズ１４０とを備えている。照明光学系１００は、光学素子１０を均一に照明するためのインテグレータ光学系である。
【００１８】
光源１１０は、放射光源としての光源ランプ１１１と、光源ランプ１１１から放射された光を平行な光として出射させる凹面鏡１１２とを備えている。
光源ランプ１１１には、超高圧水銀灯が用いられている。また、凹面鏡１１２は、放物面鏡を用いるのが好ましい。
【００１９】
第１のレンズアレイ１２０には、複数の小レンズ１２１がマトリックス状に配置されている。一方、第２のレンズアレイ１３０には、複数の小レンズ１２１に対応するように複数の小レンズ１３１が配列されている。光源１１０から出射された平行光は、第１のレンズアレイ１２０によって、小レンズ１２１に対応した複数の部分光に分割され、第２のレンズアレイ１３０の各小レンズ１３１に入射するように集光される。小レンズ１３１から出射されたそれぞれの部分光は、コリメータレンズ１４０によって平行光にされている。そして、光学素子１０は、均一の明るさで照らされている。
なお、照明光学系１００に偏光ビームスプリッタ（図示しない）を加えて、光源１１０から出射された平行光の偏光方向を揃えてやれば、液晶ライトバルブ２０で使用する偏光板が１枚で済み、液晶ライトバルブ２０での透過光量が増す。
【００２０】
光学素子１０と液晶ライトバルブ２０とは、色分離された光が液晶ライトバルブ２０の画素にそれぞれ入射するように位置合わせされ、接着剤で貼り合わされている。そして、コリメータレンズ１４０から出射された平行光に対し角度θで配置されている。
なお、光学素子１０と液晶ライトバルブ２０とは、接着剤で貼り合わされてなくてもよく、近接して配置されていてもよい。この場合、光学素子１０に発生した熱の液晶ライトバルブ２０への伝導を防ぐことができる。
【００２１】
図２には、本実施形態にかかる光学素子１０の概略斜視図が示されている。
図２において、光学素子１０は、マイクロレンズアレイ１１と、透明板としての石英ガラス板１２とを備えている。これらは、透明な接着剤で貼り合わされている。
マイクロレンズアレイ１１には、マイクロレンズ１３がマトリックス状に規則正しく形成されている。ここで、図２では、マイクロレンズ１３の数は概略図としての数で示してある。実際は、液晶ライトバルブ２０の画素の１／３の数が配置され、液晶ライトバルブ２０の３つの画素に一つのマイクロレンズ１３が対応している。
【００２２】
図３には、本実施形態にかかる光学素子１０の概略断面図が、図４には、マイクロレンズアレイ１１側から見た光学素子１０の概略平面図が示されている。
マイクロレンズアレイ１１は、マイクロレンズ１３と微小レンズ１４とを備えている。マイクロレンズ１３は、入射光側に配置され、微小レンズ１４は、石英ガラス板１２側に配置されている。
【００２３】
マイクロレンズアレイ１１の厚みは、マイクロレンズ１３の光軸ＯＡに対して角度θで入射した入射光がマイクロレンズ１３の開口面積の略１／３の面積に集光されるまでの距離に設定されている。図３では、入射光のうち青色（Ｂ）が２点鎖線、緑色（Ｇ）が１点鎖線、赤色（Ｒ）が実線で示されている。また、図３で示した角度θは、図１で示した角度θと同じである。
微小レンズ１４は、マイクロレンズ１３によって入射光が集光された場所に設けられている。微小レンズ１４によって、集光された光は、入射光と平行にされている。
ここで、微小レンズ１４は、マイクロレンズ１３とは屈折率の異なる材料で形成されている。例えば、マイクロレンズアレイ１１と石英ガラス板１２を接着する接着剤の屈折率がマイクロレンズ１３の屈折率と異なれば、予めマイクロレンズアレイ１１の対応する場所に、微小レンズ１４の形状と同じ形状の窪みを設けておいて、接着と同時に窪みに接着剤を充填することによっても微小レンズ１４は形成される。
【００２４】
石英ガラス板１２は、カラーフィルタ５０および反射部１９を備えている。カラーフィルタ５０は、一つのマイクロレンズ１３に対応した、青色選択透過部１６、緑色選択透過部１７、赤色選択透過部１８を有している。
微小レンズ１４によって入射光と平行にされた光は、石英ガラス板１２を進む。この平行光が石英ガラス板１２から出射する出射面３０には、マイクロレンズ１３によって集光された面積と略同面積の青色選択透過部１６が配置されている。青色選択透過部１６では、青色が透過し、青色以外の緑色と赤色とが入射角度θと同じ角度の反射角θで反射される。反射された青色と赤色とは、石英ガラス板１２の出射面３０と対向する面に設けられた反射部１９に進む。
【００２５】
反射部１９には、マイクロレンズ１３で集光された光をカラーフィルタ５０に透過させるための透光部１５が形成されている。本実施形態では、この透光部１５に微小レンズ１４が形成されているが、微小レンズ１４を省略することも可能である。
図３では、反射部１９は、青色選択透過部１６の２倍の面積を持つように形成されている。なお、本実施形態での面積比は、これらに限定されるものではない。
青色と赤色とは、反射部１９の半分の面積部分によって反射角θで反射され、再び出射面３０に進む。青色と赤色とが到達する出射面３０には、緑色選択透過部１７が配置され、緑色が透過して赤色が反射角θで反射される。赤色は、再び反射部１９によって反射角θで反射され、出射面３０に戻ってくる。この場所には、赤色選択透過部１８が配置され、赤色が透過する。
青色選択透過部１６、緑色選択透過部１７、および赤色選択透過部１８は、並んで配置され、これらを合わせた面積は、マイクロレンズ１３の開口部と同じ面積に形成され、マイクロレンズ１３に入射した光は、これらの３つのフィルタを通して透過している。
なお、光路差による色収差を考慮して屈折力の大きい（焦点距離の長い）波長の短い光である青色を最初に選択透過させるのが好ましい。
【００２６】
また、入射光の入射角度θは、２〜２０°が好ましい。２°より小さいと、色分離のために要する距離（石英ガラス板１２の厚み）が長くなり、２０°より大きいと、マイクロレンズアレイ１１と石英ガラス板１２との水平方向のずれの距離が大きくなる。
【００２７】
図５（Ａ）には、青色選択透過部１６の分光特性が、（Ｂ）には、緑色選択透過部１７の分光特性が、（Ｃ）には、赤色選択透過部１８の分光特性が、横軸を波長、縦軸を透過率として示されている。
青色選択透過部１６は、約４００ｎｍから５００ｎｍの波長の光を透過し、緑色選択透過部１７は、約５００ｎｍから６００ｎｍの波長の光を透過し、赤色選択透過部１８は、約６００ｎｍから７００ｎｍの波長の光を透過する。
【００２８】
これらの選択透過部１６，１７，１８は、誘電体多層膜によって形成されている。選択透過部１６，１７，１８の形成方法としては、いわゆるリフトオフ法を用いることができる。具体的には、石英ガラス板１２に、青色選択透過部１６の形成される部分以外の部分に、予めパターン化されたエッチング可能なレジストや金属膜（アルミ、銅等）を形成する。その後、誘電体多層膜を全面に形成し、エッチングによって青色の選択透過部１６を形成する部分以外の誘電体多層膜をレジスト等と一緒に除去することによって、所定の位置に青色選択透過部１６が形成される。各フィルタは、この手順をそれぞれの誘電体多層膜形成ごとに繰り返すことによって形成されている。形成するレジスト等は、膜厚を誘電体多層膜と同程度にするとよい。
【００２９】
誘電体多層膜は、低屈折率物質と高屈折率物質を設計膜厚にしたがって交互に積層して形成されている。膜構成は、通常よく知られた選択透過フィルタの膜構成を用いることができる。例えば、青色選択透過部１６は、高屈折率物質として酸化タンタルを、低屈折率物質として、二酸化シリコンを使用し、石英ガラス板１２側から順次酸化タンタルと二酸化ケイ素とを交互に合計３８層積層して得られる。青色の選択透過部１６の膜厚は、３．１μｍであった。
【００３０】
ここで、高屈折率物質としては、酸化タンタル、酸化チタン、酸化ニオブ等を用いることができ、低屈折率物質としては、二酸化ケイ素、フッ化マグネシウムを用いることができる。
また、これらの物質は、反応性スパッタ法、イオンプレーティング法、イオンアシスト法で成膜することができ、成膜温度は、レジストを使用した場合は、レジストがダメージを与えない低温（１５０℃以下）で成膜する。
【００３１】
反射部１９には、可視光領域で高反射が得られ、入射光の入射角度に応じて反射特性の設計が可能な誘電体多層膜からなるコールドミラーが使用されている。例えば、可視光のみを反射して赤外線を透過する設計にすれば、液晶ライトバルブ２０へ到達する赤外線が遮断され、液晶ライトバルブ２０の温度上昇が防げる。
コールドミラーは、選択透過フィルタと同様に、高屈折率材料と低屈折率材料の組み合わせで形成されている。設計によって得られた膜構成で形成すればよい。
反射部１９は、エッチングの容易なアルミや銀の金属膜のミラーであってもよい。
なお、反射部１９は、マイクロレンズアレイ１１に設けられていてもよいし、石英ガラス板１２に設けられていてもよい。石英ガラス板１２に設けると、マイクロレンズアレイ１１との位置合わせが行いやすくなる。
【００３２】
光学素子１０で色分離された色の透過光量は、画像情報に基づいた画素ごとの働きによって調整され、投写レンズ系１５０を通して、スクリーンＳＣに画像として写し出される。
【００３３】
このような本実施形態によれば、以下の効果がある。
（１）マイクロレンズ１３の光軸ＯＡに対して斜めに光を入射することで、光は、マイクロレンズ１３の光軸ＯＡからずれた位置に集光される。集光された光は、石英ガラス板１２の出射面３０に配置された青色選択透過部１６によって青色は透過され、残りは反射される。反射光は、光軸ＯＡに対して角度θを持って反射する。反射光は、カラーフィルタ５０とマイクロレンズ１３との間に設けられた反射部１９によって、最初の青色選択透過部１６とは異なる位置に反射され、その位置に最初の青色選択透過部１６とは異なる緑色選択透過部１７を配置すれば、緑色が透過される。残りの成分も同様に反射され、反射部１９によって赤色選択透過部１８に入射し、赤色が透過する。したがって、短距離で効率よく色分離ができる。また、一つの光学素子１０で色分離がされ、光学系の小型化ができる。
【００３４】
（２）石英ガラス板１２の出射面３０にカラーフィルタ５０が形成されている。したがって、平面へ複数の選択透過部１６，１７，１８を形成でき、精度よく簡便な工程で選択透過部１６，１７，１８の形成を行なうことができる。
【００３５】
（３）マイクロレンズ１３で集光した光を、微小レンズ１４で入射光と同じ方向の平行光にすることができ、青色選択透過部１６に到達するまでの光の漏れや迷光が少なくなり効率よく色分離ができる。
【００３６】
（４）反射部１９に形成された透光部１５が絞りの役目を果たし、マイクロレンズ１３で集光した光は、選択的にカラーフィルタ５０に到達する。したがって、透光部１５による光路の制御が行ないやすく、光を決められた選択透過部に導け、効率よく色分離できる。
【００３７】
（５）マイクロレンズ１３で集光した光を１／３以下に分割するので、カラー表示に必要な３原色（Ｒ，Ｇ，Ｂ）に入射光を色分離できる。
【００３８】
（６）液晶ライトバルブ２０は、小型の色分離のための光学素子１０を備えているので、１枚の液晶ライトバルブ２０で各色成分の透過光量を調整できる。したがって、部品点数を少なくできる。
【００３９】
（７）液晶ライトバルブ２０と色分離のための光学素子１０が一体なので、光学系が直線上に配置でき、プロジェクタ１を小型にできる。
【００４０】
なお、本発明は前述の実施形態に限定されるものではなく、本発明の目的を達成できる範囲での変形、改良等は本発明に含まれるものである。
［変形例１］
例えば、前記実施形態では、３種類のフィルタで色分離していたが、本発明では、２種類のフィルタで色分離してもよい。
図６（Ａ）、（Ｂ）に２種類の分光特性を示した。（Ａ）は、実施形態と同じ青色選択透過部１６の分光特性を、（Ｂ）は、青色と緑色選択透過部４０の分光特性を示している。
実施形態と同じ青色選択透過部１６を実施形態と同じ位置に配置し、緑色選択透過部１７と同じ位置に青色および緑色選択透過部４０を配置する。そして、赤色選択透過部１８の設けられていた場所には、何も配置しない。このような構成であっても、青色および緑色選択透過部４０に入射光が到達する時には、青色は透過して青色の成分はなくなっており、緑色のみが透過し、赤色が反射される。赤色は、反射部１９によって反射され、そのまま出射面３０を通して透過する。このような構成では、選択透過部の数が少ないのでその加工を容易にできる。
【００４１】
また、選択透過部は、青色、緑色、赤色を透過するものに限らず用途によって選択できる。
加えて、前記実施形態では、スクリーンＳＣを観察する方向から投写を行なうフロントタイプのプロジェクタの例のみを挙げたが、本発明は、スクリーンＳＣを観察する方向とは反対側から投写を行なうリアタイプのプロジェクタにも適用可能である。
【００４２】
さらに、本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００４３】
本発明は、プロジェクタに利用できる他、直視型の液晶装置等カラーフィルタを使用する表示装置に利用できる。
【図面の簡単な説明】
【００４４】
【図１】本発明の実施形態にかかるプロジェクタを示す概略平面図。
【図２】本発明の実施形態にかかる光学素子を示す概略斜視図。
【図３】本発明の実施形態にかかる光学素子を示す概略断面図。
【図４】本発明の実施形態にかかる光学素子を示す概略平面図。
【図５】本発明の実施形態にかかる分光特性を示すグラフ。
【図６】本発明の変形例にかかる分光特性を示すグラフ。
【符号の説明】
【００４５】
１…プロジェクタ、１０…光学素子、１１…マイクロレンズアレイ、１２…透明板としての石英ガラス板、１３…マイクロレンズ、１４…微小レンズ、１５…透光部、１６…青色選択透過部、１７…緑色選択透過部、１８…赤色選択透過部、１９…反射部、２０…光学変調装置としての液晶ライトバルブ、３０…出射面、５０…カラーフィルタ、ＯＡ…光軸。
【図１】
2006251121.tif 000003
【図２】
2006251121.tif 000004
【図３】
2006251121.tif 000005
【図４】
2006251121.tif 000006
【図５】
2006251121.tif 000007
【図６】
2006251121.tif 000008